(57)【特許請求の範囲】
【請求項１】
支軸を中心として開閉可能に設けられたユニットと、
前記ユニットが閉じられたときに格納され、前記ユニットが開かれたときに平面状に展開される反射部材と、
を有することを特徴とする自動取引装置。
【請求項２】
請求項１に記載の自動取引装置において、
前記反射部材は、
一端が前記支軸側の装置本体に取り付けられ、
前記ユニットが閉じられるとき、前記ユニットに押圧されて湾曲し、前記ユニットと前記装置本体との間の空間に格納され、
前記ユニットが開かれたとき、平板状に戻ることを特徴とする自動取引装置。
【請求項３】
請求項２に記載の自動取引装置において、
前記反射部材は、板バネで形成されていることを特徴とする自動取引装置。
【請求項４】
請求項１に記載の自動取引装置において、
前記反射部材は、
一端が前記支軸側の装置本体に回動可能に設けられ、付勢部材で所定の回動位置に付勢され、
前記ユニットが閉じられるとき、前記ユニットに押圧されて回動し、前記ユニットと前記装置本体との間の空間に格納され、
前記ユニットが開かれたとき、付勢部材により回動し、前記所定の回動位置まで戻ることを特徴とする自動取引装置。
【請求項５】
請求項４に記載の自動取引装置において、
前記付勢部材は、トーションスプリングであることを特徴とする自動取引装置。
【請求項６】
請求項１から請求項５のいずれかに記載の自動取引装置において、
前記ユニットと装置本体との間で媒体を搬送する搬送路と、
前記ユニットと前記装置本体とを接続する接続部とを有し、
前記搬送路は、前記接続部で接続され、
前記接続部は、前記ユニットが開かれたとき、前記ユニットと前記装置本体とを接続するとともに、前記搬送路を前記ユニット側と前記装置本体側とに分断し、
前記反射部材は、前記接続部側が固定端であることを特徴とする自動取引装置。
【請求項７】
請求項６に記載の自動取引装置において、
前記反射部材は、前記接続部側の面が鏡面仕上げされ、前記接続部を視認可能にすることを特徴とする自動取引装置。
【請求項８】
請求項６に記載の自動取引装置において、
前記反射部材は、前記接続部側の面にミラーシールが貼付され、前記接続部を視認可能にすることを特徴とする自動取引装置。
【請求項９】
請求項１から請求項８のいずれかに記載の自動取引装置において、
前記反射部材は、前記ユニットが開かれたとき、略水平に配置されることを特徴とする自動取引装置。
【発明の詳細な説明】
【技術分野】
【０００１】
本発明は、開閉可能なユニットを有する自動取引装置に関する。
【背景技術】
【０００２】
従来の技術は、用紙を分離して送り出す給紙機構において、エラー発生時に給紙機構の内部側の暗い部分を照射するランプと、そのランプから照射された光を給紙方向上流側に反射させる反射部材とを設け、ランプの光を給紙方向上流側の外部から視認し易くするようにしているものがある（例えば、特許文献１参照）。
【先行技術文献】
【特許文献】
【０００３】
【特許文献１】特開２０１４−１８５０３４号公報
【発明の概要】
【発明が解決しようとする課題】
【０００４】
しかしながら、従来の技術においては、媒体を搬送する搬送路が設けられ、回動可能なユニットが移動する領域に固定した反射部材を設ける空間を確保することが困難であり、搬送路が設けられたユニットを回動させて搬送路を開放しても搬送路において詰まった媒体を視認することが困難な部位が生じることがあり、操作者は詰まった媒体を完全に除去することができないことがあるという問題がある。
本発明は、このような問題を解決することを課題とし、詰まった媒体を容易に視認できるようにすることを目的とする。
【課題を解決するための手段】
【０００５】
そのため、本発明は、支軸を中心として開閉可能に設けられたユニットと、前記ユニットが閉じられたときに格納され、前記ユニットが開かれたときに平面状に展開される反射部材と、を有することを特徴とする。
【発明の効果】
【０００６】
このようにした本発明は、詰まった媒体を容易に視認することができるという効果が得られる。
【図面の簡単な説明】
【０００７】
【図１】第１の実施例における紙幣搬送ユニット（開放時）の構成を示す概略側断面図
【図２】第１の実施例における自動取引装置の構成を示す概略側断面図
【図３】第１の実施例における紙幣搬送ユニット（閉塞時）の構成を示す概略側断面図
【図４】第２の実施例における紙幣搬送ユニット（開放時）の構成を示す概略側断面図
【図５】第２の実施例における紙幣搬送ユニット（閉塞時）の構成を示す概略側断面図
【発明を実施するための形態】
【０００８】
以下、図面を参照して本発明による自動取引装置の実施例を説明する。
【実施例１】
【０００９】
図２は第１の実施例における自動取引装置の構成を示す概略側断面図である。
図２において、自動取引装置１は、金融機関等に設置され顧客等の操作により入出金等の取引を行うものである。本実施例では、自動取引装置１は媒体としての紙幣を搬送する紙幣搬送ユニット２を備えた紙幣入金機として説明する。なお、自動取引装置１は、両替機などの現金処理機、乗車券等の発券を行う自動券売機、またはコピー機などであってもよい。
自動取引装置１は、ＣＰＵ（Ｃｅｎｔｒａｌ  Ｐｒｏｃｅｓｓｉｎｇ  Ｕｎｉｔ）等の制御部およびメモリ等の記憶部を備え、記憶部に記憶された制御プログラム（ソフトウェア）に基づいて制御部により紙幣搬送ユニット２を含む全体の動作が制御される。
【００１０】
図３は第１の実施例における紙幣搬送ユニット（閉塞時）の構成を示す概略側断面図である。
図３において、紙幣搬送ユニット２は、入金取込部２１と、紙幣搬送路２３（２３ａ、２３ｂ、２３ｃ、２３ｄ）と、鑑別部２４と、一時保留部２５と、リジェクト部２６と、返却扉２７と、反射部材５１とを有している。また、紙幣搬送ユニット２は、支軸を中心として開閉可能に設けられたユニットとしての上部ユニット３１と、装置本体としての下部ユニット３２とにより構成されている。上部ユニット３１は、下部ユニット３２から延びる支持部材に設けられた支軸としての回転支点４１で回動可能に支持されている。
【００１１】
入金取込部２１は、顧客が入金する紙幣の投入を受付ける部位であり、投入された紙幣を１枚ずつ分離して紙幣搬送路２３へ送り出す繰出しローラを備えたものである。
紙幣搬送路２３（２３ａ、２３ｂ、２３ｃ、２３ｄ）は、搬送ローラや搬送ベルトにより紙幣を上部ユニット３１と下部ユニット３２との間で図中矢印Ａが示す紙幣搬送方向に搬送するものである。紙幣搬送路２３ａは、入金取込部２１と、上部ユニット３１と下部ユニット３２との接続部３３とを結ぶ搬送路である。紙幣搬送路２３ｂは、接続部３３と、一時保留部２５とリジェクト部２６への分岐部２８とを結ぶ搬送路である。紙幣搬送路２３ｃは、分岐部２８と一時保留部２５とを結ぶ搬送路である。紙幣搬送路２３ｄは、分岐部２８とリジェクト部２６とを結ぶ搬送路である。
【００１２】
鑑別部２４は、紙幣搬送路２３ｂに設けられ、搬送された紙幣に対する各種の鑑別、すなわち紙幣の真偽や正損、金種等を鑑別する機能、および連鎖、斜行等の搬送異常を検出するものである。
一時保留部２５は、紙幣搬送路２３ｃの終端部に設けられ、入金取込部２１に投入された紙幣であって、鑑別部２４によって入金可能な真券と鑑別された紙幣を一時保留する収納部である。なお、一時保留部２５は、底部に開閉可能なシャッタを備え、シャッタを開放することにより、収納した紙幣を紙幣搬送ユニット２の下方に設けられた紙幣収納部に落下させて収納することができるようになっている。
【００１３】
リジェクト部２６は、紙幣搬送路２３ｄの終端部に設けられ、入金取込部２１に投入された紙幣であって、鑑別部２４によって入金不可能と鑑別された紙幣を集積する部位である。
返却扉２７は、開閉可能な扉であり、一時保留部２５に収納された紙幣を取り出すとき、開放するものである。
【００１４】
接続部３３は、回転支点４１の近傍に位置し、上部ユニット３１と下部ユニット３２とを接続している部位である。この接続部３３は、上部ユニット３１を下部ユニット３２に対して閉塞させているとき、上部ユニット３１の紙幣搬送路２３ａと、下部ユニット３２の紙幣搬送路２３ｂとを接続し、紙幣搬送路２３ａと紙幣搬送路２３ｂと間で紙幣の搬送を可能にしている。また、接続部３３は、上部ユニット３１を、回転支点４１を中心に回動させ、下部ユニット３２に対して開放させたとき、上部ユニット３１と下部ユニット３２とを接続するとともに、上部ユニット３１の紙幣搬送路２３ａと下部ユニット３２の紙幣搬送路２３ｂとを分断する。
【００１５】
反射部材５１は、接続部３３の下方の下部ユニット３２に形成されている平坦部３２ａに取り付けられたものである。反射部材５１は、柔軟で塑性変形し難い金属等の素材で矩形の板バネ状に形成されたものである。反射部材５１の紙幣搬送方向と直交する方向における長さ（幅）は、紙幣搬送路２３の紙幣搬送方向と直交する方向における長さ（幅）と略同じに形成され、反射部材５１の紙幣搬送方向における長さは、上部ユニット３１を回動させ、下部ユニット３２に対して開放させたとき、上部ユニット３１と下部ユニット３２との間の空間６１の長さに等しい程度が好ましい。
【００１６】
反射部材５１は、回転支点４１を中心に上部ユニット３１を回動させ、下部ユニット３２に対して開放させたとき、平坦部３２ａから略平面状（例えば、水平面状）に延びるように配置されている。したがって、反射部材５１は、回転支点４１の下方から上部ユニット３１の自由端側に略平面状に配設されている。なお、本実施例では、反射部材５１は、上部ユニット３１を下部ユニット３２に対して開放させたとき、水平面状に延びるように配置されているものとして説明するが、それに限られるものでなく、水平面との間で所定の角度を成すように配置されていても良い。
【００１７】
また、反射部材５１は、上部ユニット３１を下部ユニット３２に対して閉塞させたとき、上部ユニット３１に押圧されて上部ユニット３１と下部ユニット３２との間の空間に収納されるようになっている。
すなわち、反射部材５１は、上部ユニット３１が閉じられたときに格納され、上部ユニット３１が開かれたときに平面状に展開されるものである。
【００１８】
図１は第１の実施例における紙幣搬送ユニット（開放時）の構成を示す概略側断面図であり、上部ユニット３１を上方に回動させて開放させた状態を示している。
図１において、上部ユニット３１を、回転支点４１を中心に回動させ、下部ユニット３２に対して開放させたとき、反射部材５１は、回転支点４１の下方から上部ユニット３１の自由端側に略平面状に延びるようになっている。
【００１９】
反射部材５１は、回転支点４１（接続部３３）側の表面が光を反射するように形成（例えば、鏡面仕上げ、またはミラーシールの貼付等）されている。
したがって、操作者の視線６０は、反射部材５１の表面で反射して上部ユニット３１と下部ユニット３２との接続部３３に到達、すなわち操作者は、反射部材５１を利用して接続部３３を視認できるようになっている。
【００２０】
なお、上部ユニット３１を、回転支点４１を中心に回動させ、下部ユニット３２に対して開放させたとき、上部ユニット３１と下部ユニット３２との接続部３３において、上部ユニット３１側の紙幣搬送路２３ａと、下部ユニット３２側の紙幣搬送路２３ｂとは分断されるようになっている。
このように、本実施例において、反射部材５１は、一端（固定端）が回転支点４１（接続部３３）側の下部ユニット３２に取り付けられ、上部ユニット３１が閉じられるとき、上部ユニット３１に押圧されて湾曲し、上部ユニット３１と下部ユニット３２との間の空間に格納され、上部ユニット３１が開かれたとき、平板状に戻るように構成されている。
【００２１】
上述した構成の作用について説明する。
図３に示すように、紙幣搬送ユニット２の上部ユニット３１を下部ユニット３２に対して閉塞させたとき、反射部材５１は、上部ユニット３１に押圧されて上部ユニット３１と下部ユニット３２との間の空間６１に、変形（湾曲）した状態で収納される。
このように上部ユニット３１を下部ユニット３２に対して閉塞させているとき、紙幣搬送路２３ａと紙幣搬送路２３ｂとが接続され、入金取込部２１に投入された紙幣を紙幣搬送路２３（２３ａ、２３ｂ、２３ｃ、２３ｄ）で一時保留部２５またはリジェクト部２６へ搬送することができる。
【００２２】
紙幣搬送ユニット２（自動取引装置の制御部）は、紙幣の搬送中に紙幣搬送路２３において紙幣に詰まりが発生したことを検知した場合、紙幣搬送路２３を停止させ、紙幣搬送路２３に残留した紙幣を除去する誘導画面を表示部に表示し、残留紙幣が除去されることを待機する。
次に、操作者は、紙幣搬送路２３に残留した紙幣を除去するものとする。
図１に示すように、操作者は、紙幣搬送路２３に残留した紙幣を除去するため、上部ユニット３１を図中矢印Ｂが示す方向に回動させて下部ユニット３２との間に空間を形成する。
【００２３】
上部ユニット３１を回動させると、反射部材５１は、上部ユニット３１により加えられていた荷重が開放され、弾性力により上部ユニット３１の下部ユニット３２側の面に当接しながら、図中矢印Ｃが示す方向に移動し、略平面の状態に復帰する。
このように、紙幣搬送路２３に残留した紙幣を除去するために形成した上部ユニット３１と下部ユニット３２との間の空間において、略平面状に反射部材５１を復帰させるようにしたことにより、操作者は、容易に反射部材５１に写った上部ユニット３１と下部ユニット３２との接続部３３付近の紙幣搬送路２３を視認することができるようになる。
【００２４】
従来、上部ユニット３１を回動させて下部ユニット３２との間に形成した空間では、上部ユニット３１の底部が操作者の視線の妨げとなって、上部ユニット３１と下部ユニット３２との接続部３３付近の紙幣搬送路２３を直接視認することが困難であったが、本実施例では、略平面状に復帰する反射部材５１を上部ユニット３１と下部ユニット３２との間の空間に設けたことにより、上部ユニット３１と下部ユニット３２との接続部３３付近の紙幣搬送路２３を容易に視認することができるようになる。
【００２５】
特に、上部ユニット３１と下部ユニット３２との接続部３３付近の紙幣搬送路２３は、紙幣搬送路２３のノブ等により搬送ローラや搬送ベルトを回転させて残留した紙幣を移動させる場合、紙幣搬送路２３が分断されている接続部３３から出現する紙幣を容易に視認することができるようになる。
【００２６】
以上説明したように、第１の実施例では、開閉可能な上部ユニットと下部ユニットとの間の空間において、柔軟で塑性変形し難い素材で形成され、略平面状に復帰する反射部材を設けたことにより、操作者は、容易に反射部材に写った上部ユニットと下部ユニットとの接続部付近の紙幣搬送路を視認することができ、詰まった媒体を容易に視認できるようになるという効果が得られる。
また、紙幣搬送路に残留した紙幣を確実に除去することができるようになり、現金違算等のトラブルを回避することができるという効果が得られる。
【実施例２】
【００２７】
第２の実施例の構成は、反射部材の構成が第１の実施例の構成と異なっている。その第２の実施例の構成を図４の第２の実施例における紙幣搬送ユニット（開放時）の構成を示す概略側断面図および図５の第２の実施例における紙幣搬送ユニット（閉塞時）の構成を示す概略側断面図に基づいて説明する。なお、上述した第１の実施例と同様の部分は、同一の符号を付してその説明を省略する。
【００２８】
図５において、紙幣搬送ユニット２は、入金取込部２１と、紙幣搬送路２３（２３ａ、２３ｂ、２３ｃ、２３ｄ）と、鑑別部２４と、一時保留部２５と、リジェクト部２６と、返却扉２７と、反射部材７１とを有している。また、紙幣搬送ユニット２は、開閉可能な上部ユニット３１と、下部ユニット３２とにより構成されている。上部ユニット３１は、下部ユニット３２から延びる支持部材に設けられた回転支点４１で回動可能に支持されている。
【００２９】
反射部材７１は、接続部３３の下方の下部ユニット３２に形成されている平坦部３２ａの端部に設けられた回転支点７２に回動可能に設けられたものである。反射部材７１は、金属等の素材で矩形の平板状に形成されたものである。反射部材７１の紙幣搬送方向と直交する方向における長さ（幅）は、紙幣搬送路２３の紙幣搬送方向と直交する方向における長さ（幅）と略同じに形成され、反射部材７１の紙幣搬送方向における長さは、上部ユニット３１を回動させ、下部ユニット３２に対して開放させたとき、上部ユニット３１と下部ユニット３２との間の空間６１の長さに等しい程度が好ましい。
【００３０】
反射部材７１は、回転支点４１を中心に上部ユニット３１を回動させ、下部ユニット３２に対して開放させたとき、回転支点７２に設けられた付勢部材としてのトーションスプリング等により平坦部３２ａから略平面状に延びる位置（所定の回動位置）を保持するように配置される。したがって、反射部材７１は、回転支点４１の下方から上部ユニット３１の自由端側に平面状に配置される。なお、本実施例では、反射部材７１は、上部ユニット３１を下部ユニット３２に対して開放させたとき、所定の回動位置として水平面状に延びるように配置されるものとして説明するが、それに限られるものでなく、水平面との間で所定の角度を成すように配置されるものとしても良い。
【００３１】
また、反射部材７１は、上部ユニット３１を下部ユニット３２に対して閉塞させたとき、上部ユニット３１に押圧されて上部ユニット３１と下部ユニット３２との間の空間に収納されるようになっている。
すなわち、反射部材７１は、上部ユニット３１が閉じられたときに格納され、上部ユニット３１が開かれたときに平面状に展開されるものである。
図４において、上部ユニット３１を、回転支点４１を中心に回動させ、下部ユニット３２に対して開放させたとき、反射部材７１は、回転支点４１の下方から上部ユニット３１の自由端側に平面状に延びるようになっている。
【００３２】
反射部材７１は、回転支点４１側の表面が光を反射するように形成（例えば、鏡面仕上げ、またはミラーシールの貼付等）されている。
したがって、操作者の視線６０は、反射部材７１の表面で反射して上部ユニット３１と下部ユニット３２との接続部３３に到達、すなわち操作者は、反射部材７１を利用して接続部３３を視認できるようになっている。
なお、上部ユニット３１を、回転支点４１を中心に回動させ、下部ユニット３２に対して開放させたとき、上部ユニット３１と下部ユニット３２との接続部３３において、紙幣搬送路２３ａと、紙幣搬送路２３ｂとは分断されるようになっているのは第１の実施例と同様である。
【００３３】
このように、本実施例において、反射部材７１は、一端（固定端）が回転支点４１（接続部３３）側の下部ユニット３２に回動可能に設けられ、付勢部材としてのトーションスプリング等で所定の回動位置に付勢され、上部ユニット３１が閉じられるとき、上部ユニット３１に押圧されて回動し、上部ユニット３１と下部ユニット３２との間の空間に格納され、上部ユニット３１が開かれたとき、トーションスプリング等により回動し、所定の回動位置まで戻るように構成されている。
【００３４】
上述した構成の作用について説明する。
図５に示すように、紙幣搬送ユニット２の上部ユニット３１を下部ユニット３２に対して閉塞させたとき、反射部材７１は、上部ユニット３１に押圧されて回転支点７２を中心として回動し、上部ユニット３１と下部ユニット３２との間の空間６１に収納される。
このように上部ユニット３１を下部ユニット３２に対して閉塞させているとき、紙幣搬送路２３ａと紙幣搬送路２３ｂとが接続され、入金取込部２１に投入された紙幣を紙幣搬送路２３（２３ａ、２３ｂ、２３ｃ、２３ｄ）で一時保留部２５またはリジェクト部２６へ搬送することができる。
【００３５】
紙幣搬送ユニット２（自動取引装置の制御部）は、紙幣の搬送中に紙幣搬送路２３において紙幣に詰まりが発生したことを検知した場合、紙幣搬送路２３を停止させ、紙幣搬送路２３に残留した紙幣を除去する誘導画面を表示部に表示し、残留紙幣が除去されることを待機する。
次に、操作者は、紙幣搬送路２３に残留した紙幣を除去するものとする。
図４に示すように、操作者は、紙幣搬送路２３に残留した紙幣を除去するため、上部ユニット３１を図中矢印Ｂが示す方向に回動させて下部ユニット３２との間に空間を形成する。
【００３６】
上部ユニット３１を回動させると、反射部材７１は、上部ユニット３１により加えられていた荷重が開放され、トーションスプリング等の付勢部材の付勢力により上部ユニット３１の下部ユニット３２側の面に当接しながら、図中矢印Ｃが示す方向に移動し、略水平面を形成する。
このように、紙幣搬送路２３に残留した紙幣を除去するために形成した上部ユニット３１と下部ユニット３２との間の空間において、略水平面を形成するように反射部材７１を回動させるようにしたことにより、操作者は、容易に反射部材７１に写った上部ユニット３１と下部ユニット３２との接続部３３付近の紙幣搬送路２３を視認することができるようになる。
【００３７】
従来、上部ユニット３１を回動させて下部ユニット３２との間に形成した空間では、上部ユニット３１の底部が操作者の視線の妨げとなって、上部ユニット３１と下部ユニット３２との接続部３３付近の紙幣搬送路２３を直接視認することが困難であったが、本実施例では、略水平面を形成するように回動する反射部材７１を上部ユニット３１と下部ユニット３２との間の空間に設けたことにより、上部ユニット３１と下部ユニット３２との接続部３３付近の紙幣搬送路２３を容易に視認することができるようになる。
【００３８】
特に、上部ユニット３１と下部ユニット３２との接続部３３付近の紙幣搬送路２３は、紙幣搬送路２３のノブ等により搬送ローラや搬送ベルトを回転させて残留した紙幣を移動させる場合、紙幣搬送路２３が分断されている接続部３３から出現する紙幣を容易に視認することができるようになる。
以上説明したように、第２の実施例では、開閉可能な上部ユニットと下部ユニットとの間の空間において、略水平面状に回動する反射部材を設けたことにより、操作者は、容易に反射部材に写った上部ユニットと下部ユニットとの接続部付近の紙幣搬送路を視認することができ、詰まった媒体を容易に視認できるようになるという効果が得られる。
【００３９】
また、紙幣搬送路に残留した紙幣を確実に除去することができるようになり、現金違算等のトラブルを回避することができるという効果が得られる。
なお、本実施例では、自動取引装置を紙幣入金機として説明したが、それに限られるものでなく、紙幣搬送ユニットを有するものであれば、紙幣出金機、紙幣入出金機、現金処理機、現金自動預払機、自動券売機等であっても良い。
【符号の説明】
【００４０】
１    自動取引装置
２    紙幣搬送ユニット
２１  入金取込部
２３（２３ａ、２３ｂ、２３ｃ、２３ｄ）  紙幣搬送路
２４  鑑別部
２５  一時保留部
２６  リジェクト部
２７  返却扉
２８  分岐部
３１  上部ユニット
３２  下部ユニット
３３  接続部
４１、７２  回転支点
５１、７１  反射部材
【図１】
0006418027.tif 000002
【図２】
0006418027.tif 000003
【図３】
0006418027.tif 000004
【図４】
0006418027.tif 000005
【図５】
0006418027.tif 000006